(57)【要約】【課題】移行元端末のハードウェア性能を十分に活用できるように、移行先端末へのコンテンツの移行を支援する。【解決手段】移行元である第一の端末で使用する第一のコンテンツの、ハードウェア性能が異なる移行先端末である第二の端末への移行を支援するコンテンツ移行支援装置であって、前記第一のコンテンツに類似する、前記第二の端末で利用可能な第二のコンテンツの利用するハードウェア性能を表す第二のコンテンツ特徴情報を取得する類似コンテンツ特徴情報取得部と、前記第一のコンテンツが利用するハードウェア性能を表す第一のコンテンツ特徴情報、前記第二の端末のハードウェア性能を表すハードウェア特徴情報及び前記第二のコンテンツ特徴情報に基づいて移行タイプを判定するタイプ判定部と、前記移行タイプに基づいて結果を出力する結果出力部と、を有する、コンテンツ移行支援装置を提供する。【選択図】図３
2013073525.tif 000002
【特許請求の範囲】
【請求項１】
移行元である第一の端末で使用する第一のコンテンツの、ハードウェア性能が異なる移行先端末である第二の端末への移行を支援するコンテンツ移行支援装置であって、
前記第一のコンテンツに類似する、前記第二の端末で利用可能な第二のコンテンツの利用するハードウェア性能を表す第二のコンテンツ特徴情報を取得する類似コンテンツ特徴情報取得部と、
前記第一のコンテンツが利用するハードウェア性能を表す第一のコンテンツ特徴情報、前記第二の端末のハードウェア性能を表すハードウェア特徴情報及び前記第二のコンテンツ特徴情報に基づいて移行タイプを判定するタイプ判定部と、
前記移行タイプに基づいて、移行すべきでないか、前記第二のコンテンツへ移行すべきか、前記第一のコンテンツをそのまま移行すべきかを出力する結果出力部と、
を有する、コンテンツ移行支援装置。
【請求項２】
前記第一のコンテンツ特徴情報と、前記ハードウェア特徴情報と、前記第二のコンテンツ特徴情報とは特徴語で表され、
前記移行タイプは、
所定の特徴語が、前記第一のコンテンツ特徴情報及び前記第二のコンテンツ特徴情報に含まれ前記ハードウェア特徴情報に含まれないとき、第一のタイプであり、
前記所定の特徴語が、
前記第一のコンテンツ特徴情報にのみ含まれるとき、又は
前記ハードウェア特徴情報及び前記第二のコンテンツ特徴情報に含まれ前記第一のコンテンツ特徴情報には含まれないとき、第二のタイプであり、
前記第一のタイプ又は前記第二のタイプでないとき、第三のタイプである、
請求項１に記載のコンテンツ移行支援装置。
【請求項３】
前記第一のコンテンツ特徴情報と、前記ハードウェア特徴情報と、前記第二のコンテンツ特徴情報とは数値で表され、
前記移行タイプは、
前記第一のコンテンツ特徴情報が前記ハードウェア特徴情報より大きく、かつ、
前記第二のコンテンツ特徴情報が前記ハードウェア特徴情報より大きいとき、第一のタイプであり、
前記第一のコンテンツ特徴情報が前記ハードウェア特徴情報より大きく、かつ、
前記第二のコンテンツ特徴情報が前記ハードウェア特徴情報以下であるとき、又は
前記第一のコンテンツ特徴情報が前記ハードウェア特徴情報より小さく、かつ、
前記第二のコンテンツ特徴情報が、前記第一のコンテンツ特徴情報より大きく、前記ハードウェア特徴情報以下であるとき、第二のタイプであり、
前記第一のタイプ又は前記第二のタイプでないとき、第三のタイプである、
請求項１に記載のコンテンツ移行支援装置。
【請求項４】
前記結果出力部は、
前記移行タイプが前記第一のタイプであるとき、移行すべきでない結果を出力し、
前記移行タイプが前記第二のタイプであるとき、前記第二のコンテンツへ移行すべきである結果を出力し、
前記移行タイプが前記第三のタイプであるとき、前記第一のコンテンツをそのまま移行すべきである結果を出力する、
請求項２又は３に記載のコンテンツ移行支援装置。
【請求項５】
前記コンテンツ移行支援装置は、前記第一の端末及び前記第二の端末と通信可能なサーバ上に構成される、
請求項１乃至４何れか一項に記載のコンテンツ移行支援装置。
【請求項６】
前記コンテンツ移行支援装置は、前記第二の端末上に構成される、
請求項１乃至４何れか一項に記載のコンテンツ移行支援装置。
【請求項７】
移行元である第一の端末で使用する第一のコンテンツの、ハードウェア性能が異なる移行先端末である第二の端末への移行を支援するコンテンツ移行支援方法であって、
前記第一のコンテンツに類似する、前記第二の端末で利用可能な第二のコンテンツの利用するハードウェア性能を表す第二のコンテンツ特徴情報を取得する類似コンテンツ特徴情報取得段階と、
前記第一のコンテンツが利用するハードウェア性能を表す第一のコンテンツ特徴情報、前記第二の端末のハードウェア性能を表すハードウェア特徴情報及び前記第二のコンテンツ特徴情報に基づいて移行タイプを判定するタイプ判定段階と、
前記移行タイプに基づいて、移行すべきでないか、前記第二のコンテンツへ移行すべきか、前記第一のコンテンツをそのまま移行すべきかを出力する結果出力段階と、
を有する、コンテンツ移行支援方法。
【請求項８】
請求項７に記載のコンテンツ移行支援方法をコンピュータに実行させるコンテンツ移行支援プログラム。
【発明の詳細な説明】
【技術分野】
【０００１】
本発明は、コンテンツ移行支援装置、コンテンツ移行支援方法及びコンテンツ移行支援プログラムに関する。
【背景技術】
【０００２】
携帯電話端末のハードウェア性能の進化に伴い、その性能を活かした、携帯電話向けのアプリケーション、動画等のコンテンツが開発されている。例えば、ＩＣカード機能、赤外線送受信機能又は高解像度の表示機能に対応したコンテンツが開発されている。そして、異なるハードウェア性能を有する携帯電話端末ごとに、類似する機能を有するコンテンツが多数開発されている。
【０００３】
ユーザが使用するコンテンツに類似するコンテンツを提示する技術として、特許文献１には、カテゴリレベルの嗜好とキーワードレベルの嗜好の両方を考慮したレコメンデーションを行うことができるレコメンド情報生成装置が記載されている。
【先行技術文献】
【特許文献】
【０００４】
【特許文献１】特開２０１０−２６２３８３号公報
【発明の概要】
【発明が解決しようとする課題】
【０００５】
ユーザは、機種変更等により新たな携帯電話端末へ移行するとき、移行前に使用していたコンテンツと同じ、あるいは同等の機能を有する類似のコンテンツを継続して利用することを望む場合が多い。しかし、移行元端末と移行先端末のハードウェア性能が異なる場合、移行前に使用していたコンテンツ又はそれに類似するコンテンツをそのまま移行しても、利用できないことがあった。また、移行先端末のハードウェア性能がより高い場合、その性能を活かせないことがあった。
【０００６】
本発明は、上記問題に鑑みてなされたものであり、移行先端末のハードウェア性能を十分に活用できるように、移行先端末へのコンテンツの移行を支援することを目的とする。
【課題を解決するための手段】
【０００７】
上述した課題を解決し目的を達成するため、本発明にかかるコンテンツ移行支援装置は、移行元である第一の端末で使用する第一のコンテンツの、ハードウェア性能が異なる移行先端末である第二の端末への移行を支援するコンテンツ移行支援装置であって、前記第一のコンテンツに類似する、前記第二の端末で利用可能な第二のコンテンツの利用するハードウェア性能を表す第二のコンテンツ特徴情報を取得する類似コンテンツ特徴情報取得部と、前記第一のコンテンツが利用するハードウェア性能を表す第一のコンテンツ特徴情報、前記第二の端末のハードウェア性能を表すハードウェア特徴情報及び前記第二のコンテンツ特徴情報に基づいて移行タイプを判定するタイプ判定部と、前記移行タイプに基づいて、移行すべきでないか、前記第二のコンテンツへ移行すべきか、前記第一のコンテンツをそのまま移行すべきかを出力する結果出力部と、を有する。
【発明の効果】
【０００８】
本発明によれば、移行元端末のハードウェア性能を十分に活用できるように、移行先端末へのコンテンツの移行を支援できる。
【図面の簡単な説明】
【０００９】
【図１】本発明の一実施形態におけるコンテンツ移行支援装置を含む通信システムの概要を表す図。
【図２】本発明の一実施形態におけるコンテンツ移行支援装置のハードウェア構成例を表す図。
【図３】本発明の一実施形態におけるコンテンツ移行支援装置の機能ブロック図。
【図４】本発明の一実施形態におけるコンテンツ移行支援装置によるコンテンツ移行処理のフローチャート。
【図５】コンテンツがアプリケーションである場合のタイプ判定処理のフローチャート。
【図６】コンテンツがアプリケーションである場合のタイプ判定のためのテーブルを表す図。
【図７Ａ】コンテンツがアプリケーションである場合の移行元コンテンツ特徴情報の第一の具体例を表す図。
【図７Ｂ】コンテンツがアプリケーションである場合の移行先端末ハードウェア特徴情報の第一の具体例を表す図。
【図７Ｃ】コンテンツがアプリケーションである場合の移行先類似コンテンツ特徴情報の第一の具体例を表す図。
【図８Ａ】コンテンツがアプリケーションである場合の移行元コンテンツ特徴情報の第二の具体例を表す図。
【図８Ｂ】コンテンツがアプリケーションである場合の移行先端末ハードウェア特徴情報の第二の具体例を表す図。
【図８Ｃ】コンテンツがアプリケーションである場合の移行先類似コンテンツ特徴情報の第二の具体例を表す図。
【図９Ａ】コンテンツがアプリケーションである場合の移行元コンテンツ特徴情報の第三の具体例を表す図。
【図９Ｂ】コンテンツがアプリケーションである場合の移行先端末ハードウェア特徴情報の第三の具体例を表す図。
【図９Ｃ】コンテンツがアプリケーションである場合の移行先類似コンテンツ特徴情報の第三の具体例を表す図。
【図１０】コンテンツが動画等である場合のタイプ判定処理のフローチャート。
【図１１】コンテンツが動画等である場合のタイプ判定のためのテーブルを表す図。
【図１２Ａ】コンテンツが動画等である場合の移行元コンテンツ特徴情報の具体例を表す図。
【図１２Ｂ】コンテンツが動画等である場合の移行先端末ハードウェア特徴情報の具体例を表す図。
【図１２Ｃ】コンテンツが動画等である場合の移行先類似コンテンツ特徴情報の具体例を表す図。
【図１３】変形例であるコンテンツ移行支援装置を含む通信システムの概要を表す図。
【発明を実施するための形態】
【００１０】
以下、本発明の実施形態を図面に基づいて説明する。
【００１１】
１．概要
２．ハードウェア構成
３．機能
４．タイプ判定による提案内容の決定処理
５．コンテンツがアプリケーションである場合のタイプ判定
６．コンテンツが動画等である場合のタイプ判定
７．変形例
【００１２】
（１．概要）
図１は、本発明の一実施形態におけるコンテンツ移行支援装置１１０が含まれる通信システム１の概要を表す。通信システム１は、機種変更や機種の買い替えにおける移行元の通信端末１００と、移行元の通信端末１００で使用しているコンテンツの移行を支援するコンテンツ移行支援装置１１０と、移行先の通信端末１２０と、ネットワーク１３０とを有する。
【００１３】
移行元の通信端末１００は、ユーザが使用している移行元コンテンツ１０２を有する。通信端末１００は、コンテンツ移行支援装置１１０によるコンテンツの移行支援がなされる前に、ネットワーク１３０を通じて、移行元コンテンツ１０２の特徴情報１１２をコンテンツ移行支援装置１１０に送信する。ここで、コンテンツとは、動画、静止画を含むコンテンツの他に、アプリケーションを含む。また、移行元コンテンツ１０２の特徴情報とは、移行元コンテンツ１０２が利用するハードウェアの情報を表し、例えば「ＩＣカード」、「赤外線」、「加速度センサ」のような特徴語、又は数値で表される解像度を表す「１０２４×７６８」のような値を含む。
【００１４】
コンテンツ移行支援装置１１０は、移行元の通信端末１１０から受信した移行元コンテンツの特徴情報１１２と、移行先の通信端末１２０などの外部から受信した、移行先の通信端末１２０のハードウェアに関する情報である移行先端末ハードウェア特徴情報１１４と、図示しないアプリケーション提供サーバ１４０から受信した、移行先の通信端末１２０で利用可能な移行先類似コンテンツ特徴情報１１６とを有し、移行先端末のハードウェアに適するコンテンツへの移行に関する提案内容を決定し、その結果を出力する。
【００１５】
移行元コンテンツ特徴情報１１２は、移行元コンテンツ１０２が利用するハードウェアの情報を表し、例えば「ＩＣカード」、「赤外線」、「加速度センサ」のような特徴語、又は解像度を表す「１０２４×７６８」のような数値を含む。移行先端末ハードウェア特徴情報１１４は、移行先の通信端末１２０の備えるハードウェアの情報を表し、移行元コンテンツ特徴情報１１２と同様に、例えば「ＩＣカード」、「赤外線」、「加速度センサ」のような特徴語、又は解像度を表す「１０２４×７６８」のような数値を含む。移行先類似コンテンツ特徴情報１１６は、移行元コンテンツ１０２に類似するコンテンツが利用するハードウェアの情報を表し、移行元コンテンツ特徴情報１１２と同様に、例えば「ＩＣカード」、「赤外線」、「加速度センサ」のような特徴語、又は解像度を表す「１０２４×７６８」のような数値を含む。
【００１６】
すなわち、コンテンツ移行支援装置１１０は、これらの特徴情報１１２、１１４、１１６に基づいて、移行先で利用可能な類似コンテンツが移行先端末のハードウェアに適する場合、移行元コンテンツの代わりに類似コンテンツへ移行すべきであるとユーザに提案する。提案内容は、例えば通信端末１２０において表示され、ユーザが判断のために用いることができる。一方で、その類似コンテンツが移行先端末のハードウェアに適さない場合には、移行元コンテンツ１０２をそのまま移行すべきである旨の提案を行うか、あるいは移行元コンテンツ１０２の移行を行わない旨の提案を行う。
【００１７】
移行先の通信端末１２０は、コンテンツ移行支援装置１１０からコンテンツの移行に関する提案内容の出力に応じて、画面上にその内容を表示する。ユーザは、その結果に基づいて、最終的に移行を行うかどうか決定することができる。
【００１８】
ネットワーク１３０は、通信端末１００と、コンテンツ移行支援装置１１０と、通信装置１２０とを接続するネットワークであり、一般的には移動体通信網又はインターネットである。
【００１９】
以上の構成により、コンテンツ移行支援装置１１０は、ネットワーク１３０を通じて取得した移行元コンテンツ特徴情報１１２と、移行先端末ハードウェア特徴情報１１４と、移行先類似コンテンツ特徴情報１１６とに基づいて、移行元の通信端末１１０から移行先の通信端末１２０への移行元コンテンツ１１２の移行に関する提案内容を決定し、その結果を出力することができる。
【００２０】
なお、移行元の通信端末１００は、移行元コンテンツ１０２の特徴情報をコンテンツ移行支援装置に送信した後は、ネットワーク１３０から切断されてもよい。
【００２１】
（２．ハードウェア構成）
図２は、コンテンツ移行支援装置１１０のハードウェア構成の例を表す。コンテンツ移行支援装置１１０は、ＣＰＵ２０２、ＲＯＭ２０４、ＲＡＭ２０６、ＨＤＤ２０８、ネットワークコントーラ２１０、通信装置２１２、グラフィックスコントローラ２１４、表示装置２１６、入力コントローラ２１８、入力装置２２０、バス２２２を有し、移行先端末のハードウェアに適するコンテンツへの移行に関する提案内容を決定し、その結果を出力する。
【００２２】
ＣＰＵ２０２は、本発明の一実施形態におけるコンテンツ移行支援装置１１０及び図示しないコンテンツ移行支援プログラムの動作制御を行う。ＲＯＭ２０４は、ＣＰＵ２０２が実行するコンテンツ移行支援プログラムや、その他のプログラム、必要なデータ等を記憶する。ＲＡＭ２０４は、ＣＰＵ２０４のワークエリア等を構成する。ＨＤＤ２０８は、コンテンツ移行支援プログラムの他に、当該コンテンツ移行支援装置１１０の動作に必要なプログラムやドライバ、さらに他の通信端末から受信したデータを記憶するために用いる。ネットワークコントローラ２１０は、通信装置２１２を介して、ネットワークに接続される通信端末と通信を行うための通信制御を行う。グラフィックスコントローラ２１４は、液晶ディスプレイやＣＲＴディスプレイを含む表示装置２１６を介して、ユーザに操作画面や情報を提供するための制御を行う。入力コントローラ２１８は、マウスやキーボード、タッチパネルを含む入力装置２２０を介してユーザから入力される信号を制御する。バス２２２は、上記の要素を相互に接続し、データのやり取りを行う。
【００２３】
上記構成により、本発明の一実施形態におけるコンテンツ移行支援装置１１０は、移行先端末のハードウェアに適するコンテンツへの移行に関する提案内容を決定し、その結果を出力できる。
【００２４】
なお、ＨＤＤ２０８は、ＳＳＤ（Ｓｏｌｉｄ  Ｓｔａｔｅ  Ｄｒｉｖｅ）、フラッシュメモリ、磁気テープドライブ等であってもよい。
【００２５】
（３．機能）
図３は、コンテンツ移行支援装置１１０の機能ブロック図である。コンテンツ移行支援装置１１０は、外部の装置とネットワーク１３０を通じて情報を通信するための通信部３１０と、移行元コンテンツ１０２に類似する類似コンテンツの特徴情報を取得する類似コンテンツ特徴情報取得部３２０と、コンテンツの特徴情報又は移行先通信端末の特徴情報を格納する特徴情報格納部３３０と、移行に関する提案内容を決めるための移行タイプを判定するタイプ判定部３４０と、移行に関する提案内容を出力する結果出力部３５０を有し、移行先端末のハードウェアに合わせて、移行元コンテンツ１０２の移行に関する提案内容を決定し、その結果を出力する。
【００２６】
通信部３１０は、移行元の通信端末１００から移行元コンテンツ特徴情報１１２を受信する。受信した移行元コンテンツ特徴情報１１２は、特徴情報格納部３３０に格納される。また、移行先の通信端末１２０から、移行先の通信端末１２０の機種に対応する移行先端末ハードウェア特徴情報１１４を受信する。あるいは、移行前に、移行先の通信端末１２０のハードウェア情報がわかっている場合、該ハードウェア情報は、移行元の通信端末１００から、移行元コンテンツ特徴情報１１２とともに受信することもできる。受信した移行先端末ハードウェア特徴情報１１４は、特徴情報格納部３３０に格納される。
【００２７】
類似コンテンツ特徴情報取得部３２０は、移行元コンテンツ１０２に対応する、移行先で利用可能な類似コンテンツ特徴情報を、図示しないアプリケーション提供サーバ１４０等からネットワーク１３０を通じて取得する。類似コンテンツとは、コンテンツの名前や説明文などのメタ情報に含まれる、そのコンテンツの特徴や機能に関する単語の一致度等により定められる、類似のコンテンツのことをいう。取得された特徴情報は、移行先類似コンテンツ特徴情報１１６として、特徴情報格納部３３０に格納される。なお、移行元コンテンツ１０２に対応する類似コンテンツは、図示しない外部のサーバ１５０によって一つ以上特定される。外部のサーバ１５０による類似コンテンツの特定は、例えば、移行元のコンテンツ１０２の名前及びコンテンツの説明文に含まれる単語との一致度が一定値以上であるものについてなされ得るが、その特定方法に関してここでは特に限定しない。
【００２８】
特徴情報格納部３３０は、移行元コンテンツ特徴情報１１２と、移行先端末ハードウェア特徴情報１１４と、移行先類似コンテンツ特徴情報１１６とを格納する。それぞれの特徴情報は、既に述べた通り、例えば「ＩＣカード」、「赤外線」、「加速度センサ」のような特徴語、又は解像度を表す「１０２４×７６８」のような数値を含む。
【００２９】
タイプ判定部３４０は、タイプ判定テーブル３４２と接続され、移行元コンテンツ特徴情報１１２と、移行先端末ハードウェア特徴情報１１４と、移行先類似コンテンツ特徴情報１１６との関係に基づいて移行タイプを判定する。タイプ判定テーブル３４２は、その関係と移行タイプとの対応を定義する。タイプ判定部３４０は、コンテンツがアプリケーションであるか、動画又は静止画であるかに応じて異なる判定処理を行う。これは、コンテンツがアプリケーションである場合、特徴情報は「ＩＣカード」、「赤外線」、「加速度センサ」のようなハードウェアの特徴を表す特徴語であるのに対し、コンテンツが動画又は静止画である場合、特徴情報は、解像度を表す「１０２４×７６８」のような数値であることに基づく。したがって、タイプ判定テーブル３４２は、コンテンツがアプリケーションである場合と、動画又は静止画である場合とで、異なるテーブルが定義される。なお、タイプ判定テーブル３４２は、タイプ判定部３４０に含まれてもよい。
【００３０】
結果出力部３５０は、判定された移行タイプに応じて、類似コンテンツに移行するよう促すか、移行元コンテンツをそのまま移行するよう促すか、移行すべきでないかを示す、移行に関する提案内容を結果として出力する。出力結果は、通信部３１０によりネットワーク１３０を通じて移行先の通信端末１２０に送信され、表示される。ユーザは、その表示内容をもとに、最終的に移行に関する決定を行う。
【００３１】
以上により、コンテンツ移行支援装置１１０は、移行元コンテンツ特徴情報１１２と、移行先端末ハードウェア特徴情報１１４と、移行先類似コンテンツ特徴情報１１６とに基づいて移行タイプを判定し、移行タイプごとに定められる提案内容を結果として出力することができる。
【００３２】
なお、通信部３１０は、移行元の通信端末１００から移行元コンテンツ特徴情報１１２そのものを受信するのではなく、例えばコンテンツＩＤ等の、移行元コンテンツを一意に特定できる情報のみを受信するようにしても良い。また、通信部３１０は、移行元の通信端末１００又は移行先の通信端末から、移行先の通信端末１２０の機種に対応する移行先端末ハードウェア特徴情報１１４そのものを受信するのではなく、移行先の通信端末１２０の機種を一意に特定できる端末ＩＤを受信するようにしても良い。このような場合、コンテンツ移行支援装置は、コンテンツＩＤ又は端末ＩＤに対応する特徴情報をそれぞれ取得する必要がある。これにより、通信端末１００又は１２０との通信の情報量を減らすことができる。
【００３３】
（４．タイプ判定による提案内容の決定処理）
ここで、コンテンツ移行支援装置１１０のタイプ判定による移行に関する提案内容の決定処理について、図４を用いて説明する。図４は、ある移行元コンテンツ１０２に関する、コンテンツ移行に関する提案内容の決定処理のフローを表すフローチャートである。
【００３４】
図４において、ステップＳ４００から処理が開始される。
【００３５】
次に、ステップＳ４０２において、移行元コンテンツ特徴情報１１２が、通信部３１０を通じて移行元の通信端末１００から受信され、特徴情報格納部３３０に格納される。
【００３６】
次に、ステップＳ４０４において、移行先端末ハードウェア特徴情報１１４が、通信部３１０を通じて移行元の通信端末１００又は移行先の通信端末から受信され、特徴情報格納部３３０に格納される。
【００３７】
次に、ステップＳ４０６において、移行先類似コンテンツ特徴情報１１６が、類似コンテンツ特徴情報取得部３２０によって、アプリケーション提供サーバ１４０から取得され、特徴情報格納部３３０に格納される。
【００３８】
次に、ステップＳ４０８において、提案内容を決定するための移行タイプが、タイプ判定部３４０により、ステップＳ４０２、Ｓ４０４、Ｓ４０６で取得した特徴情報に基づいて判定される。移行タイプは、タイプ１と、タイプ２と、タイプ３とに分類される。移行タイプの判定方法の詳細については後述する。
【００３９】
移行タイプが判定されると、ステップＳ４１０において、判定された移行タイプがタイプ１であるとき、ステップＳ４１２へと進み、当該移行元コンテンツに関しては、移行すべきでない提案を行うことが決定され、その旨の結果が結果出力部３５０によって出力される。その後、ステップＳ４２０へと進む。一方、移行タイプがタイプ１でないとき、処理はステップＳ４１４へと進む。
【００４０】
次に、ステップＳ４１４において、判定された移行タイプがタイプ２であるとき、ステップＳ４１６へと進み、当該移行元コンテンツに関しては、類似コンテンツに移行すべき提案を行うことが決定され、その旨の結果が結果出力部３５０によって出力される。その後、ステップＳ４２０へと進む。一方、移行タイプがタイプ２でないとき、処理はステップＳ４１８へと進む。
【００４１】
次に、ステップＳ４１８において、移行タイプがタイプ１でもタイプ２でもないとき、すなわち移行タイプがタイプ３であるとき、移行元コンテンツ１０２をそのまま移行する提案を行うことが決定され、その旨の結果が結果出力部３５０によって出力される。その後、ステップＳ４２０へと進む。
【００４２】
ステップＳ４２０において、処理は終了する。
【００４３】
以上の処理により、コンテンツ移行支援装置１１０は、移行タイプがタイプ１である場合には移行をしない旨を出力し、移行タイプがタイプ２である場合には類似コンテンツへの移行を促す旨を出力し、移行タイプがタイプ３である場合には移行元コンテンツ１０２をそのままの移行を促す旨を出力することができる。
【００４４】
なお、ステップＳ４０２ないしＳ４０６は、必ずしもこの順序で実行される必要はなく、任意に並び替えられても良い。また、ステップＳ４１０ないしＳ４１８に記載されているタイプ１ないし３の判断順序について、任意に並び替えられても良い。
【００４５】
（５．コンテンツがアプリケーションである場合のタイプ判定）
以下に、移行タイプの判定について詳細に説明する。なお、以降タイプの判定は、コンテンツがアプリケーションである場合と、動画又は静止画等である場合とにおいて異なる処理がなされる。
【００４６】
図５は、コンテンツがアプリケーションである場合のタイプ判定処理のフローチャートである。先述の通り、コンテンツがアプリケーションである場合、移行元コンテンツ特徴情報１１２、移行先端末ハードウェア特徴情報１１４、移行先類似コンテンツ特徴情報１１６の特徴情報は、「ＩＣカード」、「赤外線」、「加速度センサ」のような特徴語で示される。
【００４７】
まず、タイプ判定処理はステップＳ５００から開始される。
【００４８】
次に、ステップＳ５０２において、タイプ判定部３４０は、所定のハードウェア特徴情報をキーとして、特徴情報格納部３３０に格納された移行元コンテンツ特徴情報１１２を検索する。所定のハードウェア特徴情報とは、例えば「ＩＣカード」、「赤外線」、「加速度センサ」のような特徴語であり、例えば予め定義された、図示しないハードウェア特徴語リスト１１８から選択される。移行元コンテンツ特徴情報１１２には、移行元コンテンツ１０２であるアプリケーションが利用する、ハードウェア特徴情報が複数含まれている。よって、検索のキーに用いられる所定のハードウェア特徴情報が、移行元コンテンツ特徴情報１１２に含まれるとき、検索結果が「あり」と判定される。
【００４９】
次に、ステップＳ５０４において、タイプ判定部３４０は、ステップＳ５０２で用いた所定のハードウェア特徴情報をキーとして、特徴情報格納部３３０に格納された移行先端末ハードウェア特徴情報１１４を検索する。移行先端末ハードウェア特徴情報１１４には、移行先端末が備えるハードウェア特徴情報が複数含まれている。そして、検索のキーに用いられる所定のハードウェア特徴情報が、移行先端末ハードウェア特徴情報１１４に含まれるとき、検索結果が「あり」と判定される。
【００５０】
次に、ステップＳ５０６において、タイプ判定部３４０は、ステップＳ５０２で用いた所定のハードウェア特徴情報をキーとして、特徴情報格納部３３０に格納された移行先類似コンテンツ特徴情報１１６を検索する。移行先類似コンテンツ特徴情報１１６には、類似コンテンツであるアプリケーションが利用するハードウェア特徴情報が複数含まれている。そして、検索のキーに用いられる所定のハードウェア特徴情報が、移行先類似コンテンツ特徴情報１１６に含まれるとき、検索結果が「あり」と判定される。
【００５１】
次に、ステップＳ５０８において、タイプ判定部３４０は、ステップＳ５０２、Ｓ５０４、Ｓ５０６の検索結果と、図６に示されるタイプ判定テーブル３４２を用いて、タイプを判定する。
【００５２】
図６は、移行元コンテンツ特徴情報の検索結果と、移行先端末ハードウェア特徴情報の検索結果と、移行先類似コンテンツ特徴情報の検索結果と、移行タイプと、提案内容との項目を有する。移行元コンテンツ特徴情報の検索結果は、移行元コンテンツ特徴情報１１２に含まれるハードウェア特徴情報に、ステップＳ５０２で用いる所定のハードウェア特徴情報が含まれている場合に「あり」、含まれていない場合に「なし」と表す。移行先端末ハードウェア特徴情報の検索結果、移行先類似コンテンツ特徴情報の検索結果についても同様である。移行タイプは、移行元コンテンツ特徴情報の検索結果、移行先端末ハードウェア特徴情報の検索結果、移行先類似コンテンツ特徴情報の検索結果の組み合わせにより定義されるタイプを表す。提案は、それぞれの移行タイプごとの移行元コンテンツに対する提案内容を表す。
【００５３】
図５のステップＳ５０８において判定された移行タイプがタイプ１である場合、すなわち、コンテンツを移行すべきでないと判定する場合とは、移行元コンテンツ１０２と類似コンテンツとが利用する所定のハードウェアが、ともに移行先端末に備わっていない場合である。よって、移行元コンテンツ特徴情報の検索結果が「あり」、移行先端末ハードウェア特徴情報の検索結果が「なし」、移行先類似コンテンツ特徴情報の検索結果が「あり」である場合に、タイプ１と判定される。
【００５４】
移行タイプがタイプ２である場合、すなわち類似コンテンツへの移行する場合とは、
（１）移行元コンテンツ１０２が利用する所定のハードウェアが、移行先端末に備わっていないが、類似コンテンツは所定のハードウェアを利用しない場合と、
（２）移行元コンテンツ１０２で利用していなかった所定のハードウェアが、移行先端末に備わっていて、類似コンテンツが所定のハードウェアを利用できる場合
である。よって、
（１）移行元コンテンツ特徴情報の検索結果が「あり」、移行先端末ハードウェア特徴情報の検索結果が「なし」、移行先類似コンテンツ特徴情報の検索結果が「なし」である場合と、
（２）移行元コンテンツ特徴情報の検索結果が「なし」、移行先端末ハードウェア特徴情報の検索結果が「あり」、移行先類似コンテンツ特徴情報の検索結果が「あり」である場合
に、タイプ２と判定される。
【００５５】
移行タイプがタイプ３である場合、すなわち移行元コンテンツ１０２をそのまま移行する場合とは、
（３）移行元コンテンツ１０２も、類似コンテンツも、移行先端末に備わる所定のハードウェアを利用しない場合と、
（４）所定のハードウェアに関し、移行元コンテンツ１０２が利用せず、移行先端末にも備わっていない場合と、
（５）移行元コンテンツ１０２が利用する所定のハードウェアが移行先端末にも備わっている場合
である。このような場合、図６で示されるような組み合わせにおいて、タイプ３と判定される。
【００５６】
図５に戻り、ステップＳ５０８において移行タイプの判定がなされると、ステップＳ５１０に進み、処理は終了する。
【００５７】
以上により、所定のハードウェア特徴情報をキーとして、移行元コンテンツ特徴情報の検索結果、移行先端末ハードウェア特徴情報の検索結果、移行先類似コンテンツ特徴情報の検索結果を検索し、得られた結果の組み合わせによりタイプ分けを行うことで、移行先端末に適するコンテンツへの移行に関する提案を行うことができる。
【００５８】
なお、検索のキーとなる所定のハードウェア特徴情報は、予め定義されたハードウェア特徴語リスト１１８から選択する代わりに、移行元コンテンツ特徴情報と移行先端末ハードウェア特徴情報又は移行先類似コンテンツ特徴情報を比較し、いずれかにのみ含まれるハードウェア特徴情報を用いても良い。あるいは、図示しない移行元端末のハードウェア特徴情報１１１と、移行先端末ハードウェア特徴情報１１４とを比較し、いずれかにのみ含まれる特徴情報を用いても良い。これにより、移行処理に無関係のハードウェア特徴情報での検索処理を減らすことができる。
【００５９】
さらに、所定のハードウェア特徴情報に関する検索は、複数のハードウェア特徴情報に対して行われても良い。そのような場合には、複数の判定結果から、最も多く判定された結果を採用しても良い。これにより、複数のハードウェア特徴情報を考慮したコンテンツの移行に関する提案内容を決定できる。
【００６０】
さらに、ステップＳ５０２ないしＳ５０６の処理の順序は、任意に入れ替えることができる。
【００６１】
以上、コンテンツがアプリケーションである場合のタイプ判定の処理について説明した。ここで、図７Ａないし７Ｃと、図８Ａないし８Ｃと、図９Ａないし９Ｃとを用いて、３つの例について具体的に説明する。
【００６２】
まず、図７Ａないし７Ｃを用いて、あるアプリケーションａを移行する例について説明する。この例において、移行先端末で新たなハードウェア「ＩＣカード」が使用可能となり、アプリケーションａに類似するアプリケーションａ’が、「ＩＣカード」を利用できると仮定する。
【００６３】
図７Ａには、アプリケーションａに関する特徴情報が列挙されている。アプリケーションａは、「赤外線」と「カメラ」を利用するとする。図７Ｂには、移行先端末のハードウェア特徴情報が列挙されている。移行先端末では、「ＩＣカード」、「赤外線」、「カメラ」、「加速度センサ」が利用できるとする。図７Ｃは、図示しない外部のサーバ１５０によって特定される、アプリケーションａに類似するアプリケーションａ’に関するコンテンツ特徴情報が列挙されている。アプリケーションａ’は、「ＩＣカード」、「赤外線」、「カメラ」を利用するものとする。また、図示しないが、予め定義されたハードウェア特徴語リスト１１８には「ＩＣカード」のみが記載されているものとする。
【００６４】
既に説明した処理フローに従って、まず、図４のステップＳ４００ないしＳ４０６において、コンテンツ移行支援装置１１０が図７Ａないし７Ｃに記載の特徴情報を取得する。次に、図５のステップＳ５００ないしＳ５０６において、予め定義されたハードウェア特徴語リスト１１８に含まれる「ＩＣカード」の特徴語により、図７Ａないし７Ｃの各特徴情報について検索する。所定のハードウェア特徴情報である「ＩＣカード」の特徴語は、図７Ａの移行元コンテンツ特徴情報に含まれないため、図６のタイプ判定テーブル３４２によれば、「なし」「あり」「あり」なので、判定結果はタイプ２である。従って、コンテンツ移行支援装置１１０は、移行先の通信端末１２０を通じて、ユーザに、アプリケーションａからアプリケーションａ’への移行を促す。移行元コンテンツ１０２の移行ではなく類似アプリケーションへの移行を提案するのは、移行元コンテンツが有する機能と類似する機能を有する類似アプリケーションが、移行先端末のハードウェアの機能を活かすことができるためである。
【００６５】
以上により、コンテンツ移行支援装置１１０は、移行先端末で新たに使用可能となったハードウェアに適するアプリケーションへの移行を支援することができる。
【００６６】
次に、図８Ａないし８Ｃを用いて、「ＩＣカード」を利用するアプリケーションａ’を移行する例について説明する。この例では、移行先端末で、移行元端末に備わっていた「ＩＣカード」が使用不可能となるが、アプリケーションａ’に類似する、「ＩＣカード」を利用しないアプリケーションａが利用できる場合を想定している。
【００６７】
図８Ａないし８Ｃは、図７Ａないし７Ｃにそれぞれ対応する。図８Ａの移行元コンテンツ特徴情報には「ＩＣカード」が含まれるが、図８Ｂの移行先端末ハードウェア特徴情報及び図８Ｃの移行先類似コンテンツ特徴情報には「ＩＣカード」が含まれていない。
【００６８】
そこで、既に説明した処理フローに従って、所定のハードウェア特徴情報として選択された「ＩＣカード」をキーとして、図８Ａないし８Ｃの各特徴情報を検索し、タイプ判定テーブル３４２を参照すると、タイプ２であることがわかる。従って、コンテンツ移行支援装置１１０は、移行先の通信端末１２０を通じて、ユーザに、アプリケーションａ’からアプリケーションａへの移行を促す。移行元コンテンツ１０２の移行ではなく類似アプリケーションへの移行を提案するのは、移行元コンテンツ１０２でのみ使用可能であったハードウェア機能を必要としない類似アプリケーションであれば、移行先端末のハードウェアの機能を活かすことができるためである。
【００６９】
以上により、コンテンツ移行支援装置１１０は、これまで使用していたハードウェアが使用不可能となった場合、移行先端末で使用可能な類似コンテンツへの移行を支援することができる。
【００７０】
なお、ここでは、移行元端末と移行先端末のハードウェアの違いに基づき、所定のハードウェア特徴情報として「ＩＣカード」を選択しているが、例えば予め定義されたリストの中から選択しても良い。
【００７１】
さらに、図９Ａないし９Ｃを用いて、ハードウェア特徴情報にアプリケーションが動作するプラットフォーム(アプリケーションプラットフォーム)を表す特徴語が含まれる例について説明する。図９Ａには、移行元端末のアプリケーションｃの特徴情報として、移行元端末のアプリケーションプラットフォームである「ｉアプリ」（登録商標）を含む特徴情報が列挙され、図９Ｂには、移行先端末におけるアプリケーションプラットフォームである「Ａｎｄｒｏｉｄ」（登録商標）を含むハードウェア特徴情報が列挙されている。また、図９Ｃには、アプリケーションｃに類似し、移行先端末のアプリケーションプラットフォームで動作するアプリケーションｃ’の特徴情報が列挙されている。
【００７２】
この例において、図７Ａないし７Ｃと同様に、予め定義されたハードウェア特徴語リスト１１８に含まれる「Ａｎｄｒｏｉｄ」（登録商標）で検索を行うと、図６のタイプ判定テーブル３４２において「なし」「あり」「あり」となり、判定結果はタイプ２となる。
【００７３】
以上により、コンテンツ移行支援装置１１０は、ハードウェア特徴情報としてアプリケーションプラットフォームを用いることで、異なるアプリケーションプラットフォームで動作する移行先端末で使用可能な類似コンテンツへの移行を支援することができる。
【００７４】
（６．コンテンツが動画等である場合のタイプ判定）
次に、図１０と図１１とを用いて、コンテンツが動画又は静止画等である場合のタイプ判定について、例を用いて説明する。
【００７５】
図１０は、コンテンツが動画等である場合のタイプ判定処理のフローチャートであり、コンテンツがアプリケーションである場合の図５に代わって使用されるものである。先述の通り、コンテンツが動画等である場合、移行元コンテンツ特徴情報１１２、移行先端末ハードウェア特徴情報１１４、移行先類似コンテンツ特徴情報１１６の特徴情報は、例えば「１０２４×７６８」のような解像度を含む、数値で示される。
【００７６】
まず、タイプ判定処理はステップＳ９００から開始する。
【００７７】
次に、ステップＳ９０２において、タイプ判定部３４０は、特徴情報格納部３３０に格納された移行元コンテンツ特徴情報１１２と、移行先端末ハードウェア特徴情報１１４とを比較する。例えば解像度のような数値の場合、縦と横のピクセル数の積の値を比較することができる。
【００７８】
次に、ステップＳ９０４において、タイプ判定部３４０は、移行元コンテンツ特徴情報１１２と、移行先端末ハードウェア特徴情報１１４と、移行先類似コンテンツ特徴情報１１６とを比較する。ここで、移行先類似コンテンツ特徴情報１１６には、移行元コンテンツ特徴情報１１２、移行先端末ハードウェア特徴情報１１４と対応する解像度が格納されている。
【００７９】
次に、ステップＳ９０６において、タイプ判定部３４０は、ステップＳ９０２、Ｓ０９４の比較結果と、図１１に示されるタイプ判定テーブル３４２を用いて、タイプを判定する。
【００８０】
図１１は、移行元コンテンツ特徴情報（Ａ）と移行先端末ハードウェア特徴情報（Ｂ）との比較結果と、ＡとＢと移行先類似コンテンツ特徴情報（Ｃ）との比較結果と、移行タイプと、提案内容との項目を有する。図６と同様、比較結果の組み合わせによって移行タイプが判定され、提案内容が決定される。
【００８１】
図１１についてさらに説明する。移行タイプがタイプ１である場合、すなわち、コンテンツを移行すべきでないと判定する場合とは、移行元コンテンツ１０２である動画の解像度が移行先端末の解像度を越えており、そのまま移行しても再生できない場合であって、類似コンテンツである動画の解像度も、移行先端末の解像度を超えている場合である。よって、移行元コンテンツ特徴情報（Ａ）と移行先端末ハードウェア特徴情報（Ｂ）との比較結果がＡ＞Ｂであって、かつ移行先類似コンテンツ特徴情報（Ｃ）がＢを超えている（Ｃ＞Ｂ）場合に、タイプ１と判定される。
【００８２】
移行タイプがタイプ２である場合、すなわち類似コンテンツへ移行する場合とは、
（１）移行元コンテンツ１０２である動画の解像度が移行先端末の解像度を越えており、そのまま移行しても再生できない場合であって、類似コンテンツである動画の解像度は移行先端末の解像度以下である（Ｃ＜＝Ｂ）場合と、
（２）移行元コンテンツ１０２である動画の解像度が移行先端末の解像度に満たないが、類似コンテンツである動画の解像度が、移行元コンテンツ１０２よりは大きく、移行先端末の解像度以下である場合
である。よって、
（１）Ａ＞ＢかつＣ＜＝Ｂである場合と、
（２）Ａ＜ＢかつＡ＜Ｃ＜＝Ｂである場合
に、タイプ２と判定される。
【００８３】
移行タイプがタイプ３である場合、すなわち移行元コンテンツ１０２をそのまま移行する場合とは、
（１）移行元コンテンツ１０２である動画の解像度が移行先端末の解像度より低く、類似コンテンツである動画の解像度が、移行元コンテンツ１０２である動画の解像度以下である場合と、
（２）移行元コンテンツ１０２である動画の解像度が移行先端末の解像度より低く、類似コンテンツである動画の解像度が、移行先端末の解像度より高い場合と、
（３）移行元コンテンツ１０２である動画の解像度と、類似コンテンツである動画の解像度が等しい場合
である。よって、
（１）Ａ＜ＢかつＣ＜＝Ａである場合と、
（２）Ａ＜ＢかつＢ＜Ｃである場合と、
（３）Ａ＝Ｂである場合
に、タイプ３と判定される。
【００８４】
図１０に戻り、ステップＳ９０６において移行タイプの判定がなされると、ステップＳ９０８に進み、処理は終了する。
【００８５】
以上により、移行元コンテンツ特徴情報（Ａ）、移行先端末ハードウェア特徴情報（Ｂ）、移行先類似コンテンツ特徴情報（Ｃ）の大小関係の組み合わせによりタイプ分けを行うことで、移行先端末に適するコンテンツへの移行に関する提案を行うことができる。
【００８６】
なお、ここでは特徴情報として、動画の解像度を例に挙げて説明したが、性能を表す数値で比較が可能な、例えば再生可能な動画の長さや容量等についても適用できる。
【００８７】
また、図１０のステップＳ９０２、Ｓ９０４は、説明のために別のステップとして記述したが、移行元コンテンツ特徴情報１１２と、移行先端末ハードウェア特徴情報１１４と、移行先類似コンテンツ特徴情報１１６との比較を行う一つのステップとして実行されても良い。
【００８８】
以上、コンテンツが動画である場合のタイプ判定の処理について説明した。ここで、図１２Ａないし１２Ｃを用いて、ある動画ｂを移行する具体例について説明する。この例では、移行先端末で、移行元端末より高い解像度に対応し、動画ｂに類似する動画ｂ’（ここでは、別画質のバージョンの動画を表す）が利用できる場合を想定している。
【００８９】
図１２Ａには、動画ｂのコンテンツ特徴情報、すなわち解像度が記載されている。動画ｂは、「４８０×３２０」の解像度であるとする。図１２Ｂには、移行先端末の解像度が記載されている。移行元コンテンツ１０２より高い解像度である「１０２４×７６８」に対応するとする。図１２Ｃは、図示しない外部のサーバ１５０によって特定される、動画ｂに類似する動画ｂ’の解像度が記載されている。動画ｂ’の解像度も、移行元コンテンツ１０２より高い解像度である「１０２４×７６８」に対応するとする。
【００９０】
既に説明した処理フローに従って、まず、図４のステップＳ４００ないしＳ４０６において、コンテンツ移行支援装置１１０が図１２Ａないし１２Ｃに記載の特徴情報を取得する。次に、図１０のステップＳ９００ないしＳ９０４において、各特徴情報の大小を比較する。ここでは、移行元コンテンツ特徴情報（Ａ）は「４８０×３２０」である。また、移行先端末ハードウェア特徴情報（Ｂ）は「１０２４×７６８」である。さらに、移行先類似コンテンツ特徴情報（Ｃ）は「１０２４×７６８」である。よって、図１１のタイプ判定テーブル３４２を参照すると、「Ａ＜Ｂ」かつ「Ｂ＝Ｃ」に対応する判定結果は、タイプ２である。従って、コンテンツ移行支援装置１１０は、移行先の通信端末１２０を通じて、ユーザに、動画ｂから動画ｂ’への移行を促す。移行元コンテンツ１０２の移行ではなく類似コンテンツへの移行を提案するのは、類似コンテンツの方が移行先端末のハードウェアの機能を活かすことができるためである。
【００９１】
以上により、コンテンツ移行支援装置１１０は、移行先端末の表示可能な解像度に対応する動画への移行を支援することができる。
【００９２】
上で説明したように、本発明の一実施形態におけるコンテンツ移行支援装置１１０は、アプリケーション及び動画を含む、移行元端末で利用しているコンテンツの特徴情報と、該コンテンツに類似するコンテンツの特徴情報と、移行先端末の特徴情報とに基づいて移行に関する提案内容を決定し、移行先端末のハードウェア性能に適する、類似するコンテンツへの移行を支援することができる。
【００９３】
（７．変形例）
以下に、本発明の一実施形態における変形例であるコンテンツ移行支援装置１２００について説明を行う。
【００９４】
図１３は、変形例であるコンテンツ移行支援装置１２００を含む通信システム１２の概要である。この例において、コンテンツ移行支援装置１２００は、移行先の通信端末上に構成される。移行元コンテンツ特徴情報１２２２、移行先類似コンテンツ特徴情報１２３２は、例えば、ネットワーク１２４０を通じてアクセス可能なサーバ１２２０、１２３０から取得することができる。移行元コンテンツ特徴情報１２２２は、移行元の通信端末１２１０から移行元コンテンツ１２１２に対応する情報であり、予めネットワーク１２４０を通じて通信端末１２１０からサーバ１２２０へと送信される。また、移行先端末ハードウェア特徴情報１２０２は、例えば、移行先端末であるコンテンツ移行支援装置１２００から取得することができる。
【００９５】
このようなアプリケーション推薦端末１２００は、図２及び図３と同等のハードウェア構成及び機能を備え、図４、図５と同等の処理を実行することにより、先述のコンテンツ移行支援装置１１０と同等の効果を有する。すなわち、当該端末１２００上で、アプリケーション及び動画を含む、移行元端末で利用しているコンテンツの特徴情報と、該コンテンツに類似するコンテンツの特徴情報と、移行先端末の特徴情報とに基づいて移行に関する提案内容を決定し、移行先端末のハードウェア性能に適する、類似するコンテンツへの移行を支援することができる。
【００９６】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。実施例又は項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。説明の便宜上、本発明の実施例に係る装置は機能的なブロック図を用いて説明されたが、そのような装置はハードウェアで、ソフトウェアで又はそれらの組み合わせで実現されてもよい。ソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に用意されてもよい。本発明は上記実施例に限定されず、本発明の精神から逸脱することなく、様々な変形例、修正例、代替例、置換例等が本発明に包含される。
【符号の説明】
【００９７】
１１０  コンテンツ移行支援装置
１１１  移行元端末ハードウェア特徴情報
１１２  移行元コンテンツ特徴情報
１１４  移行先端末ハードウェア特徴情報
１１６  移行先類似コンテンツ特徴情報
１１８  ハードウェア特徴語リスト
３１０  通信部
３２０  類似コンテンツ特徴情報取得部
３３０  特徴情報格納部
３４０  タイプ判定部
３４２  タイプ判定テーブル
３５０  結果出力部
【図１】
2013073525.tif 000003
【図２】
2013073525.tif 000004
【図３】
2013073525.tif 000005
【図４】
2013073525.tif 000006
【図５】
2013073525.tif 000007
【図６】
2013073525.tif 000008
【図７Ａ】
2013073525.tif 000009
【図７Ｂ】
2013073525.tif 000010
【図７Ｃ】
2013073525.tif 000011
【図８Ａ】
2013073525.tif 000012
【図８Ｂ】
2013073525.tif 000013
【図８Ｃ】
2013073525.tif 000014
【図９Ａ】
2013073525.tif 000015
【図９Ｂ】
2013073525.tif 000016
【図９Ｃ】
2013073525.tif 000017
【図１０】
2013073525.tif 000018
【図１１】
2013073525.tif 000019
【図１２Ａ】
2013073525.tif 000020
【図１２Ｂ】
2013073525.tif 000021
【図１２Ｃ】
2013073525.tif 000022
【図１３】
2013073525.tif 000023